(57)【要約】      （修正有）【課題】漏出の心配がなく収納場所をとらず、安定した状態で海苔網洗浄液を持ち帰ることを可能とする。【解決手段】作業船とその中に設置される海苔網洗浄装置の空隙を利用して洗浄液の廃液を収納するタンクを設置するため、熱可塑性エラストマーやゴムのような柔軟な素材を使用することによって、組立て可能で、且つ変形可能なものとし、２分割して洗浄装置の両側に設置してパイプで連通する。このことにより、洗浄装置は安定し、タンク内の液面は常に海水面と平行を保ち作業船は安定する。また、取り外し可能な支持パイプを配することにより堅牢度を上げ、タンク背面部の防水ファスナーの開閉により内部の洗浄が容易となるし、固定バンドアタッチメントを付設することにより、より堅牢に洗浄装置にタンクを固定できる。【選択図】図１
2005168334.tif 000002
【特許請求の範囲】
【請求項１】
作業船上に設置した海苔網洗浄液貯留槽を作業船上に安定させる形状を有し、その内部に海苔網洗浄液の廃液を収納可能とした組立式タンク。
【請求項２】
本体を２分割して、各々を連結パイプにて連通させることにより、分割された各々のタンクに均等に廃液を分散させることを特徴とした請求項１記載の組立式タンク。
【請求項３】
側壁を除く部分を、熱可塑性エラストマーやゴムで構成されたことを特徴とする請求項１、請求項２記載の組立式タンク。
【請求項４】
液注入口や連結パイプを設置する側壁とタンク中央部分を樹脂コーティングされた金属で構成されたことを特徴とする請求項１、請求項２記載の組立式タンク。
【請求項５】
背面となる部分に本体を固定する連結バンド取付具を有することを特徴とした請求項１、請求項２記載の組立式タンク。
【請求項６】
背面となる部分に防水ファスナーを付設し、開閉自由となることを特徴とした請求項１、請求項２記載の組立式タンク。
【発明の詳細な説明】
【技術分野】
【０００１】
本発明は、海苔の養殖中における海苔網及び海苔に混入又は付着した塵埃、微小生物等の異物を船上にて洗浄し、その廃液を回収、運搬する際に用いる組立可能な海苔網洗浄液廃液タンクに関する。
【背景技術】
【０００２】
海苔の養殖中には、海水の水垢、塵埃、その他の微小生物等の異物が、海苔網及び海苔葉片に混入又は付着して汚れ、海苔の生育を阻害すると共に、海苔の品質を低下させるため所定の期間をおいてこれを除去することが行われている
【０００３】
その手段としては、特開平１１−１６９００２号公報及び特開２０００−２３５３５号公報に見られるように、海苔網を海中に押し沈めた状態で海苔を揺動又は振動したり、或いは浮上した異物をざる等で掬い取る海苔網沈降方式と、特開平４−３２０６２９号公報、特開平５−４１９３０号公報、特開平５−２１９８４７号公報等に見られるように、海苔網を引き上げて船内の酸性処理液に浸漬して再び海中に敷設する海苔網浸漬方式等が知られている。
【０００４】
近年においては海苔養殖の障害となる珪藻類を除去するため酸性処理を使用する海苔網浸漬方式が主流である。この方法によれば、作業は海苔網のある現地で行われ、酸性処理剤原液を海水で数百倍に希釈して使用し、その廃液はそのまま海へ投棄されていた。
【０００５】
酸性処理剤としては有機酸が多く使われ、リンゴ酸、クエン酸酢などの希釈液や肥料等を溶解した液を酸性の液に混合したものが多く使われている。
【０００６】
この海苔網浸漬方式は、作業船内に酸性処理剤を主として用いる海苔網洗浄液を入れる貯留槽を設置し、貯留槽内に設置した巻上げ機にて海苔網を水中より持ち上げ、貯留槽内に所定の時間浸漬し、その後また海へ網をもどしてやる方式である。
【特許文献１】特開平５−４１９３０号公報
【発明の開示】
【発明が解決しようとする課題】
【０００７】
しかし、この酸性処理剤の海水中への投棄が行われ続ければ、特に海苔養殖の行われている内湾等の場合、投棄された大量の有機酸を微生物が分解、海水中のＢＯＤが高くなり、海水の富栄養化が進み、その結果としてプランクトンの大量発生による赤潮が発生して海水の酸素不足を招くため、海苔はもとより他の生物への影響は大きく、そのため環境破壊防止の観点から海水中への投棄の禁止が平成１５年  月海洋汚染汚濁防止法を改正する形で立法化された。
【０００８】
この法改正を受けて、酸性処理剤は陸上へ持ち帰り処理することになるが、船上に貯留槽を乗せたまま港へもどる時船は波を受けて大きく揺れることも多く、貯留槽より酸性処理剤が船内や海水中に漏れ出すことが懸念される。
【０００９】
このような問題を解決するための方法として、予め酸性処理剤の貯留槽を覆うことやドラム缶等に移して運搬する方法が考えられている。
【００１０】
しかし、貯留槽から酸性処理剤が完全に漏れないようにするためには、堅牢な材質で隙間なく密閉できる蓋が必要であり、そのようなものの使用は運搬もさることながら、作業中に狭い船内に置いておくこともできず作業の著しい障害となり現実的ではない。しかし、かといって折りたたみ可能な覆い等では完全に密封することは不可能である。
【００１１】
完全に密封して運搬するためにドラム缶等の堅牢な容器を使用する方法もあるが、この方法では狭い船内に搭載することになるため、作業スペースがなくなり、またかなりの重量となるので作業の障害になるばかりでなく、作業者の転落など、重大事故を誘発しかねない恐れがある。
【課題を解決するための手段】
【００１２】
そこで本発明では、作業船上に設置された酸性処理剤貯留槽と船体底面との間で、断面が直角三角形状の空間に合致する形状を有しかつ使用時に組み立て、使用済みの酸性処理剤を密封、収納可能な海苔網洗浄液廃液タンクを提供する。
【発明の効果】
【００１３】
本発明は以上説明したような形態で実施され、以下に記載されるような効果を奏する。
【００１４】
(1)請求項１記載の本発明では、不安定な洗浄液貯留槽内の洗浄液を船底の本発明に係るタンク内に移動させるため、作業後の運搬中に船内または船外に漏出させることがなくなり、海洋環境に悪影響を与えることが避けられ、また当該タンクの形状が貯留槽を受けて安定させる形状であるため、船の航行を安定させる効果も持つ。
【００１５】
(2)請求項２記載の本発明では、本発明に係るタンクを２分割として連結パイプで各々のタンク内の洗浄廃液を自由に移動させることができるため、当該タンク内の液面は常に海水面と平行であり、重心が安定するため安全な航行を助けることになる。
【００１６】
(3)請求項３記載の本発明では、本発明に係るタンクの本体のほとんどを柔軟な熱可塑性エラストマーやゴムで構成しているため、支持パイプを外した状態では折りたたみが可能で、収納場所をとらず、また運搬時も軽量で一人での作業が可能で作業者の負担が軽減される。
また、貯留槽側面の形状が有る程度変化しても密着させることが可能である。
【００１７】
(4)請求項３記載の本発明では、本発明に係るタンクの両側面部とタンク中央部を樹脂コーティングした金属としているため、海上での作業や当該タンク内に入れる酸性の洗浄液でも錆びることがなく、長期間の使用が可能となる。
【００１８】
(5)請求項５記載の本発明では、本発明に係るタンクの本体背面部に本体を固定するためのバンドを取り付けるための固定ベルト取付具が付設されており、バンドで貯留槽を挟み込んだ当該タンクを貯留槽に密着させるため、作業船の波による揺れなどによってタンクと貯留槽のずれを防止する効果がある。
【００１９】
(6)請求項６記載の本発明では、本発明に係るタンクの本体背面部に防水ファスナーを付設してあり、これを開くことにより本体の折りたたみが容易となるだけでなくタンク内の洗浄も容易に行うことができる。
【発明を実施するための最良の形態】
【００２０】
全体の形状としては三角柱状のタンクであり２個で１組となる。貯留槽はその内部に円柱状の海苔巻き上げ装置を有するため、底面形状がやはり半円柱状となり、そのため安定性を得るために両端に架台を設けている。上記のような底形状のため、船底と貯留槽の間には両側に三角柱状の空間ができる。本発明に係るタンクはこの空間を活用するものである。
貯留槽は上記のように安定させるための架台を有しているが、当該タンクを船底との間の三角柱状の間隙に設置することでより安定した状態を得ることができる。
【００２１】
貯留槽内に入れる洗浄液は、作業現場で原液を海水で希釈して作るため作業現場に着くまでは貯留槽内は空であり、当該タンクも組立ずに運搬でき、海苔網船上作業直前に組立てることになる。これは特に作業現場で組立てなくてはならないということではなく出港時に予め組立て、設置していってもなんら差し支えはないが、他の作業用具も運搬することを考えれば、作業現場での組立てが望ましいと言える。
【００２２】
また２個１組で構成される当該タンクは連結パイプで連通し、当該タンク２個の各々の間を洗浄液廃液が移動可能の状態としてある。このことにより、航行中に作業船が波によって傾斜しても、当該タンク内を洗浄液廃液が移動して常に海水面と平行の液面を保つことになり、船の重心を安定させ、転覆等の事故を防止する働きをすることになる。
【００２３】
本発明のタンクの構成素材として、連結パイプや注入口を設置する両端側面部においては、堅牢性や防錆の面から表面を樹脂等でコーティングした金属を使用している。
その他本体を形成する素材としては、組立て可能な点や貯留槽の形状に柔軟に対応するという点からゴムや熱可塑性エラストマーが使用される。
熱可塑性エラストマーとは、例えば軟質塩化ビニル、エチレン酢酸ビニル共重合体（以下ＥＶＡ樹脂と記す）、ポリエチレン、ポリプロピレン、ポリウレタン等があるが、熱可塑性を有する樹脂であれば特に限定される物ではないが、当該タンクの成形性、接着性等を考慮すれば、軟質塩化ビニルかＥＶＡ樹脂のいずれかの使用が望ましい。
【００２４】
また、熱可塑性エラストマーで構成された本体背面部には防水ファスナーが付設してある。これはもちろん組立て可能とすることにも寄与するが、付設の主たる目的はこのファスナーでの開閉により、洗浄液廃液で汚れたタンク内部の清掃が容易となることである。
【００２５】
さらに上記背面部の両端にはワンタッチ式の固定ベルト取付具が設置されてあり、２個１組の当該タンク同士を貯留槽の形状にしっかり密着させ、揺れ等でタンク同士がバラバラに動くことによって発生する外因的衝撃による破損等を予防する働きを持つ。
【実施例】
【００２６】
以下に本発明の実施例について図面を参照しながら説明する。
【００２７】
図１は本発明に係る組立て式海苔網洗浄廃液タンクの全体斜視図であり、同形状の三角柱状の２個のタンクをもって１組としている。
【００２８】
タンク本体ｄを構成する素材としては熱可塑性エラストマーが用いられるが、この場合成形性を考慮してＥＶＡ樹脂を用いた。ＥＶＡ樹脂に必要配合剤を添加し、熱ロールで溶融混練し、カレンダリングによりシート状とした。次に接着処理したナイロントリコットを中心として、上下を前述のＥＶＡシートで挟み、ラミネート処理で一体とし、繊維を内包したＥＶＡシートを得た。
【００２９】
得られたシートを必要形状に裁断し、接合して目的の形状とするが接合の方法としてはウェルダー融着とした。他に接着剤を用いる方法や熱融着による方法もあるが、接合部の強力な剥離強度を得るためにウェルダー融着による方法とした。
【００３０】
タンク本体の側壁には洗浄液注排出口ｈや連結パイプｉ等が取り付けられるため、堅牢な素材を使用する必要がある。また、洗浄液として酸性の液体を使用すること、また作業環境が海上であることなどから錆を防ぐための樹脂コーティングを施した金属材料を使用した。
【００３１】
この樹脂コーティング金属板は、当該タンクの両側面ａの他ｆの位置、つまりは当該タンク中心部にも保型のために設置したが、タンク内の洗浄廃液の動きを妨げないよう中央部に大きく穴を開けたものを使用している。
【００３２】
全体がＥＶＡで構成されているため、側面ａと中央部の保型板のみでは洗浄液注入時には強度はもとより保型も難しい。そこで、タンク上部と下部に支持パイプｂを、タンク背面部には支持パイプｃを取付けた。
当該タンクは組立て式であるためパイプを本体を構成するＥＶＡに接着などはせず、パイプを通すための穴の開いた突出部を設け、その中にパイプを通す構造とした。突出部はやはりＥＶＡ素材を用い、本体にウェルダー融着により接合した。
【００３３】
連結パイプｉは樹脂製のものを用い、樹脂コーティングした側面ａに予め取付けたジョイント部に接続される。
【００３４】
タンク本体の背面部にはタンク本体をベルトで固定できるように、ベルト接続用の固定ベルト取付具をウェルダー融着と縫製により本体に接合した。ベルトは２ヶ所以上であれば良いのであるが、強度、作業性の面なども考慮し、固定ベルト取付具は両端と中央の計３ヶ所とした。
【００３５】
また、当該タンク本体の背面には防水ファスナーを取付け、その開閉により使用後の内部の洗浄を容易に行えるようにした。
【００３６】
図２は一般的に海苔網浸漬方式で用いられる海苔網洗浄装置であり、ｊは洗浄液貯留槽本体、ｍは安定させるための架台であり、ｋは回転駆動により海苔網を巻き上げるもので、これらによって海苔網洗浄装置は構成されている。
【００３７】
図３は図１の海苔網洗浄廃液タンクを、実使用時に設置される位置に、つまりは洗浄液貯留槽の側面に沿って設置されたものであり、図４はその正面図、図５は側面図である。
【００３８】
図２の貯留槽単体では支持架台ｍが両端に装着されていても不安定であるが、図３に見られるように全体として直方体形状をなすように当該タンクを設置することにより、非常に安定な状態を維持できる。
【００３９】
図６は作業船に図３に記した海苔網洗浄廃液タンクと洗浄液貯留槽を搭載した状態を示したもので、海上ではこの状態で作業することになる。
【００４０】
海苔網洗浄廃液タンクの構造及び材料、そして設置については以上のようであるが、当該タンクを用いる作業について一連の流れについて説明する．
【００４１】
作業現場に向かうとき洗浄液貯留槽は空の状態である。但し、洗浄液原液や作業用具等の搭載物があるので、より広い空間を確保するために当該タンクは本体より上下支持パイプ、背面支持パイプ、連結パイプをはずし防水ファスナーを開けて折りたたんで運搬する。
【００４２】
海苔網洗浄作業を開始する前に当該タンクを組立て、図３の状態とし洗浄液貯留槽内に洗浄液原液を投入し、海水をもって所定の割合の濃度とし、海苔網巻取り装置を稼働させて海苔網を巻取り、洗浄液の入った貯留槽に一定時間浸漬した後、海苔網を海中にもどす。
【００４３】
洗浄液貯留槽下部に付設された水抜き口と当該タンクの注排出口をホース等で連結し、貯留槽内の洗浄廃液を当該タンク内に移した後注排出口を閉じる。
【産業上の利用可能性】
【００４４】
海苔網洗浄廃液収納タンクを２分割して連通し、柔軟な素材を主とした構造としたことで折りたたみ可能で設置スペースを取らず、安全に持ち帰ることを可能としたことにより、海苔網洗浄液を海中に投棄することを防止できる。
【図面の簡単な説明】
【００４５】
【図１】組立て式海苔網洗浄廃液タンク斜視図
【図２】海苔網洗浄装置斜視図
【図３】海苔網洗浄廃液タンク設置説明図
【図４】図３の正面図
【図５】図３の側面図
【図６】図３の船内設置図
【符号の説明】
【００４６】
ａ    樹脂コーティング側壁板
ｂ    上部支持パイプ
ｃ    背面部支持パイプ
ｄ    タンク本体
ｅ    防水ファスナー
ｆ    中心部支持体接地部
ｇ    固定ベルト取付具
ｈ    洗浄液注排出口
ｉ    連結パイプ
ｊ    洗浄液貯留槽
ｋ    海苔網巻上げ機
ｌ    洗浄液
ｍ    貯留槽安定用架台
【図１】
2005168334.tif 000003
【図２】
2005168334.tif 000004
【図３】
2005168334.tif 000005
【図４】
2005168334.tif 000006
【図５】
2005168334.tif 000007
【図６】
2005168334.tif 000008
【手続補正書】
【提出日】平成16年1月23日(2004.1.23)
【手続補正１】
【補正対象書類名】明細書
【補正対象項目名】０００７
【補正方法】変更
【補正の内容】
【０００７】
しかし、この酸性処理剤の海水中への投棄が行われ続ければ、特に海苔養殖の行われている内湾等の場合、投棄された大量の有機酸を微生物が分解、海水中のＢＯＤが高くなり、海水の富栄養価が進み、その結果としてプランクトンの大量発生による赤潮が発生して海水の酸素不足を招くため、海苔はもとより他の生物への影響は大きく、そのため環境破壊防止の観点からこれら有機酸の投棄禁止が平成１５年４月海洋汚染汚濁防止法を改正する形で立法化された。